(57)【要約】【課題】アームレストを着座時に邪魔とならない位置まで変位させることができ、アームレストが不用意にロック解除されることを防止することができ、しかも、安定した使用位置に強固に支持することができ、信頼性や耐久性に優れた身体障害者用座席を提供する。【解決手段】座席フレーム１１の通路側にてアームレスト４０の揺動端側となる前部が着脱する所定位置に、該アームレスト４０の前部を使用位置の際に座席フレーム１１に対してロックおよびロック解除するロック機構５０を設け、このロック機構５０を、座席の通路側からは使用位置にあるアームレスト４０によって隠蔽される位置に配設すると共に、該ロック機構５０のうちロック解除部材７０を、使用位置にあるアームレスト４０の内側にて着座者が操作可能な箇所に配置した。【選択図】図１
2012249683.tif 000002
【特許請求の範囲】
【請求項１】
座席の通路側の側部に備えたアームレストを、通常の使用位置から上方の退避位置まで変位可能に座席フレームに取り付けた身体障害者用座席において、
前記座席フレームの通路側にて前記アームレストの一部が着脱する箇所に、該アームレストの一部を前記使用位置のとき前記座席フレームに対してロックおよびロック解除するロック機構を設け、
前記ロック機構を、座席の通路側からは前記使用位置にあるアームレストによって隠蔽される位置に配置すると共に、該ロック機構のうちロック解除操作を行うロック解除部材を、前記使用位置にあるアームレストの内側にて着座者が操作可能な位置に配置したことを特徴とする身体障害者用座席。
【請求項２】
座席の通路側の側部に備えたアームレストを、その後部を枢支する回転軸を中心に通常の使用位置から前部を上方に跳ね上げた退避位置まで回動可能に座席フレームに取り付けた身体障害者用座席において、
前記座席フレームの通路側にて前記アームレストの揺動端側となる前部が着脱する箇所に、該アームレストの前部を前記使用位置のとき前記座席フレームに対してロックおよびロック解除するロック機構を設け、
前記ロック機構を、座席の通路側からは前記使用位置にあるアームレストによって隠蔽される位置に配置すると共に、該ロック機構のうちロック解除操作を行うロック解除部材を、前記使用位置にあるアームレストの内側にて着座者が操作可能な位置に配置したことを特徴とする身体障害者用座席。
【請求項３】
前記ロック解除部材を、前記使用位置にあるアームレストの内側にて座席の座部前端とレッグレスト上端との間の隙間より手探りで操作可能な箇所に配置したことを特徴とする請求項１または２に記載の身体障害者用座席。
【請求項４】
前記ロック解除部材は、少なくとも着座者が触れる部分が他の金属部分と触感で区別可能な樹脂により成形されていることを特徴とする請求項１，２または３に記載の身体障害者用座席。
【請求項５】
前記アームレストの一部と該一部が着脱する前記座席フレームのいずれか一方に係合凸部を設け、いずれか他方に前記アームレストが使用位置のときに前記係合凸部が係合する被係合凹部を設けたことを特徴とする請求項１，２，３または４に記載の身体障害者用座席。
【請求項６】
前記ロック機構は、前記係合凸部が前記被係合凹部に係合した状態に拘束するロック部材を備え、該ロック部材は、拘束方向に付勢手段によって付勢されており、
前記ロック解除部材は、前記付勢手段の付勢力に抗して前記ロック部材を拘束解除方向に移動させる操作を行うものであることを特徴とする請求項５に記載の身体障害者用座席。
【発明の詳細な説明】
【技術分野】
【０００１】
本発明は、航空機、船舶、鉄道車両等の各種乗物用の座席において、身体障害者等が座席に対して着席ないし離席しやすくするため、座席の通路側に備えたアームレストを上方に回動させる等、座席の利用に際して障害となる位置からアームレストを一時的に変位させることができる身体障害者用座席に関する。
【背景技術】
【０００２】
従来、座席の通路側の側部に備えられて、通常の使用位置から着座時に障害とならない位置まで変位可能に取り付けられたアームレストのことを一般的に「ハンディキャップアームレスト」と称している。このようなハンディキャップアームレストを備えた座席としては、例えば特許文献１に開示されているように、アームレストを下方に回動させる航空機用座席に関するものが知られている。
【０００３】
この航空機用座席は、座席の通路側の側部に備えるアームレストの内部にテーブルを収納することができるよう構成すると共に、該アームレストを、その後部に設けた水平な回転軸回りに回動可能に支持している。かかる構成により、アームレストの前部を下方に沈み込ませるように回動させることが可能となり、かつアームレストの前部に座席フレームに対してロックおよびロック解除できるロック機構を備えたものであった。
【先行技術文献】
【特許文献】
【０００４】
【特許文献１】特開平６−１５６１２９号公報
【発明の概要】
【発明が解決しようとする課題】
【０００５】
しかしながら、前述した特許文献１に記載された従来の技術では、前記ロック機構においてロック解除の操作を行うためのツマミが、アームレストの外側に通路側に向けて設けられていた。そのため、通行者が誤って触れる等して予期せずロックが解除されてしまうような場合があった。かかる場合に、その座席の着座者がテーブルを使用していた際には、テーブルに載せていた物が落下する虞があった。
【０００６】
また、アームレストは、回転軸とロック装置のみで使用位置に保持されていたから、アームレストの支持が不安定な状態になりやすく、着座者に対して不快な気分を与える虞もあった。特に、テーブルを収納できるタイプのアームレストである場合には、相当な重量もあることから、強度的に支持力が弱くなりがちであり、なおさら信頼性や耐久性に欠ける虞があった。
【０００７】
本発明は、以上の従来技術が有する問題点に着目してなされたものであり、テーブルが収納できるタイプのアームレストにも適用可能でありながら、アームレストを着座時に邪魔とならない位置まで変位させることができ、アームレストが不用意にロック解除されることを防止することができ、しかも、安定した使用位置に強固に支持することができ、信頼性や耐久性にも優れた身体障害者用座席を提供することを目的としている。
【課題を解決するための手段】
【０００８】
前述した目的を達成するための本発明の要旨とするところは、以下の各項の発明に存する。  
［１］座席の通路側の側部に備えたアームレスト（４０）を、通常の使用位置から上方の退避位置まで変位可能に座席フレーム（１１）に取り付けた身体障害者用座席（１０）において、
前記座席フレーム（１１）の通路側にて前記アームレスト（４０）の一部が着脱する箇所に、該アームレスト（４０）の一部を前記使用位置のとき前記座席フレーム（１１）に対してロックおよびロック解除するロック機構（５０）を設け、
前記ロック機構（５０）を、座席の通路側からは前記使用位置にあるアームレスト（４０）によって隠蔽される位置に配置すると共に、該ロック機構（５０）のうちロック解除操作を行うロック解除部材（７０）を、前記使用位置にあるアームレスト（４０）の内側にて着座者が操作可能な位置に配置したことを特徴とする身体障害者用座席（１０）。
【０００９】
［２］座席の通路側の側部に備えたアームレスト（４０）を、その後部を枢支する回転軸（１８）を中心に通常の使用位置から前部を上方に跳ね上げた退避位置まで回動可能に座席フレーム（１１）に取り付けた身体障害者用座席（１０）において、
前記座席フレーム（１１）の通路側にて前記アームレスト（４０）の揺動端側となる前部が着脱する箇所に、該アームレスト（４０）の前部を前記使用位置のとき前記座席フレーム（１１）に対してロックおよびロック解除するロック機構（５０）を設け、
前記ロック機構（５０）を、座席の通路側からは前記使用位置にあるアームレスト（４０）によって隠蔽される位置に配置すると共に、該ロック機構（５０）のうちロック解除操作を行うロック解除部材（７０）を、前記使用位置にあるアームレスト（４０）の内側にて着座者が操作可能な位置に配置したことを特徴とする身体障害者用座席（１０）。
【００１０】
［３］前記ロック解除部材（７０）を、前記使用位置にあるアームレスト（４０）の内側にて座席の座部（３０）前端とレッグレスト（３１）上端との間の隙間より手探りで操作可能な箇所に配置したことを特徴とする［１］または［２］に記載の身体障害者用座席（１０）。
【００１１】
［４］前記ロック解除部材（７０）は、少なくとも着座者が触れる部分が他の金属部分と触感で区別可能な樹脂（７３）により成形されていることを特徴とする［１］，［２］または［３］に記載の身体障害者用座席（１０）。
【００１２】
［５］前記アームレスト（４０）の一部と該一部が着脱する前記座席フレーム（１１）のいずれか一方に係合凸部（４８）を設け、いずれか他方に前記アームレスト（４０）が使用位置のときに前記係合凸部（４８）が係合する被係合凹部（５１）を設けたことを特徴とする［１］，［２］，［３］または［４］に記載の身体障害者用座席（１０）。
【００１３】
［６］前記ロック機構（５０）は、前記係合凸部（４８）が前記被係合凹部（５１）に係合した状態に拘束するロック部材（６０）を備え、該ロック部材（６０）は、拘束方向に付勢手段（６４）によって付勢されており、
前記ロック解除部材（７０）は、前記付勢手段（６４）の付勢力に抗して前記ロック部材（６０）を拘束解除方向に移動させる操作を行うものであることを特徴とする［５］に記載の身体障害者用座席（１０）。
【００１４】
前記本発明は次のように作用する。  
前記［１］に記載の身体障害者用座席（１０）によれば、座席の通路側の側部に備えたアームレスト（４０）を、通常の使用位置から上方の退避位置まで変位可能であり、身体障害者等が座席に対して着席ないし離席する際に、障害となる位置にあるアームレスト（４０）を一時的に邪魔にならない位置まで動かすことができる。
【００１５】
座席には、その座席フレーム（１１）の通路側にてアームレスト（４０）の少なくとも一部が着脱する箇所に、使用位置にあるアームレスト（４０）の一部を座席フレーム（１１）に対してロックおよびロック解除するロック機構（５０）が設けられているから、アームレスト（４０）を通常の使用位置に確実に保持することができる。
【００１６】
ここでロック機構（５０）を、座席の通路側からは使用位置にあるアームレスト（４０）によって隠蔽される位置に配置すると共に、該ロック機構（５０）のうちロック解除操作を行うためのロック解除部材（７０）を、使用位置にあるアームレスト（４０）の内側にて着座者が操作可能な箇所に配置する。
【００１７】
これにより、ロック機構（５０）はアームレスト（４０）によって隠れる構造となり、通路の通行者が誤って接触する虞もなく、予期せずロック解除されるような誤作動の心配がない。また、結果として、ロック機構（５０）はアームレスト（４０）の変位範囲に入らない箇所に位置することになり、該アームレスト（４０）によって指を挟む等の虞も軽減され、安全性が高められる。
【００１８】
前記［２］に記載の身体障害者用座席（１０）によれば、アームレスト（４０）の具体的な変位の態様として、アームレスト（４０）は、その後部が回転軸（１８）を介して枢支されており、該回転軸（１８）を中心に通常の使用位置から前部を上方に跳ね上げた退避位置まで回動させることができる。このような変位の態様により、座部（３０）の側方に十分な乗降スペースを確保することができる。
【００１９】
この場合のロック機構（５０）は、座席フレーム（１１）の通路側にてアームレスト（４０）の揺動端側となる前部が着脱する箇所に設けられ、使用位置にあるアームレスト（４０）の前部を座席フレーム（１１）に対してロックおよびロック解除する。そのため、使用位置のアームレスト（４０）は、回動支点となる後部と揺動端側の前部との離れた２点で支持されることになり、アームレスト（４０）をいっそう強固に保持することができる。
【００２０】
前記［３］に記載の身体障害者用座席（１０）によれば、ロック解除部材（７０）の具体的な配置位置として、使用位置にあるアームレスト（４０）の内側にて座席の座部（３０）前端とレッグレスト（３１）上端との間の隙間より手探りで操作可能な箇所に配置する。これにより、ロック解除部材（７０）は座席の通路側だけでなく前側からも隠れる状態となるが、着座者は着座したまま手探りで容易に操作することができる。
【００２１】
前記［４］に記載の身体障害者用座席（１０）によれば、前記ロック解除部材（７０）は、少なくとも着座者が触れる部分が他の金属部分とは触感で区別可能な樹脂（７３）により成形される。これにより、ロック解除部材（７０）を着座者が目視で確認しづらくても、手で触れることにより樹脂（７３）であるロック解除部材（７０）の判断が付きやすく、よってロック解除部材（７０）の位置を把握しやすい。
【００２２】
前記［５］に記載の身体障害者用座席（１０）によれば、アームレスト（４０）の一部と、該一部が着脱する座席フレーム（１１）のいずれか一方に係合凸部（４８）を設け、いずれか他方に該係合凸部（４８）に対してアームレスト（４０）が使用位置の際に係合する被係合凹部（５１）を設けた。これにより、前記ロック機構（５０）や回転軸（１８）による支持だけでなく、係合凸部（４８）と被係合凹部（５１）が互いに係合した際に接する面積が増大するため、ガタつくような不安定さを軽減することができる。
【００２３】
前記［６］に記載の身体障害者用座席（１０）によれば、ロック機構（５０）の具体的な構成として、前記係合凸部（４８）が前記被係合凹部（５１）に係合した状態に拘束するロック部材（６０）を備え、該ロック部材（６０）は、拘束方向に付勢手段（６４）によって付勢されており、前記ロック解除部材（７０）は、付勢手段（６４）の付勢力に抗してロック部材（６０）を拘束解除方向に移動させる操作を行うものとする。このような比較的簡易な構成により、確実にロックおよびロック解除することができる。
【発明の効果】
【００２４】
本発明に係る身体障害者用座席によれば、テーブルが収納できるタイプのアームレストにも適用可能でありながら、アームレストを着座時に邪魔とならない位置まで変位させることができ、アームレストが不用意にロック解除されることを防止することができ、安全性を高めることができる。しかも、アームレストを安定した使用位置に強固に支持することができ、信頼性や耐久性にも優れる。
【図面の簡単な説明】
【００２５】
【図１】本発明の実施の形態に係る身体障害者用座席のアームレストが退避位置に持ち上げられた状態を通路側上方から見た斜視図である。
【図２】本発明の実施の形態に係る身体障害者用座席のアームレストが使用位置にある状態を通路側上方から見た斜視図である。
【図３】本発明の実施の形態に係る身体障害者用座席のアームレストが使用位置にある状態を通路側とは反対側の斜め前方から見た斜視図である。
【図４】本発明の実施の形態に係る身体障害者用座席のアームレストが使用位置にある状態を通路側から見た側面図である。
【図５】本発明の実施の形態に係る身体障害者用座席のアームレストが退避位置にある状態を通路側から見た側面図である。
【図６】本発明の実施の形態に係る身体障害者用座席のアームレストが使用位置にある状態を示す正面図である。
【図７】本発明の実施の形態に係る身体障害者用座席のアームレストが退避位置にある状態を示す正面図である。
【図８】本発明の実施の形態に係る身体障害者用座席のアームレスト脇の内側を斜め前方から見た状態を示す斜視図である。
【図９】本発明の実施の形態に係る身体障害者用座席の座席フレームの一部と使用状態にあるアームレストを示す斜視図である。
【図１０】本発明の実施の形態に係る身体障害者用座席の座席フレームの一部と回動途中のアームレストを示す斜視図である。
【図１１】本発明の実施の形態に係る身体障害者用座席の座席フレームの一部と退避状態にあるアームレストを示す斜視図である。
【図１２】本発明の実施の形態に係る身体障害者用座席のロック機構を示す分解斜視図である。
【図１３】本発明の実施の形態に係る身体障害者用座席のロック機構を示す正面図である。
【図１４】本発明の実施の形態に係る身体障害者用座席のロック機構を示す平面図である。
【発明を実施するための形態】
【００２６】
以下、図面に基づき本発明を代表する実施の形態を説明する。  
図１〜図１４は、本発明の一実施の形態を示している。  
本実施の形態に係る身体障害者用座席である座席１０は、その通路側の側部に備えたアームレスト４０を、通常の使用位置から上方の退避位置まで変位可能に座席フレーム１１に取り付けたものである。以下、座席１０として、航空機の客室内に設置される航空機用座席に適用した場合を例に説明する。
【００２７】
図１、図２は、座席１０を通路側上方から見た斜視図であり、図１は、アームレスト４０が退避位置に持ち上げられた状態を示し、図２は、同アームレスト４０が使用位置にある状態を示している。図３は、座席１０を通路側とは反対側の斜め前方から見た斜視図であり、アームレスト４０が使用位置にある状態を示している。図４、図５は、座席１０を通路側から見た側面図であり、図４は、アームレスト４０が使用位置にある状態を示し、図５は、同アームレスト４０が退避位置にある状態を示している。
【００２８】
また、図６、図７は、座席１０の正面図であり、図６は、アームレスト４０が使用位置にある状態を示し、図７は、同アームレスト４０が退避位置にある状態を示している。図８は、座席１０のアームレスト４０脇の内側を斜め前方から見た状態を示す斜視図である。図９〜図１１は、アームレスト４０が変位する様子を示しており、図９は、アームレスト４０が使用位置にある状態を示し、図１０は、同アームレスト４０の前部が少し持ち上がった状態を示し、図１１は、同アームレスト４０が退避位置にある状態を示している。
【００２９】
図１〜図５に示すように、座席１０は、その土台をなす座席フレーム１１上に、２人用の背凭れ２０および座部３０が保持されている。背凭れ２０は、金属製のバックフレーム（図示せず）を内蔵しており、このバックフレームにクッション材が装着され、表面はカバー材で被覆されてなる。バックフレームは、座席フレーム１１に対して傾動可能に支持されている。また、背凭れ２０の背面側には、着座者の居住空間を区画するシェル２１が配設されている。
【００３０】
座部３０は、座席フレーム１１にクッション材が装着され、表面はカバー材で被覆されてなる。また、座部３０の前端下方には、レッグレスト３１が配設されている。レッグレスト３１は、着座者が上下に自在に好みの位置に調整することができるものである。さらに、一対に並ぶ座部３０の両側部には、それぞれアームレスト４０，４０ａが固設されている。
【００３１】
各アームレスト４０，４０ａのうち、図１中で手前に位置する一方のアームレスト４０が、座席１０の「通路側の側部に備えられたアームレスト」に該当する。このように本実施の形態では、一方のアームレスト４０だけを、通路側のアームレストとして退避位置まで変位可能に構成し、他方のアームレスト４０ａは、窓側に沿って配置されるため通常の使用位置に固定されている。なお、座席１０を窓側に沿って配置せずに、客室内の中央に配置して座席１０の両側が通路となるような場合は、座席１０の両側部にあるアームレスト４０，４０ａをそれぞれ退避位置まで変位可能に構成することになる。
【００３２】
各アームレスト４０，４０ａは、それぞれ座部３０の側方を覆う縦壁状に形成され、腕を載せる上面部４１は開閉可能であり、内部には引き出して使用可能なテーブル（図示せず）が収納されている。このように本実施の形態では、アームレスト４０はテーブルが収納できるタイプでありながら、変位できるように構成されている。また、各アームレスト４０，４０ａの上面先端側には、それぞれ操作部４２が設けられている。操作部４２は、背凭れ２０を後方に傾倒してリクライニングしたり、傾倒している背凭れ２０を元の位置に戻したりする等、背凭れ２０の位置を調整する他、前記レッグレスト３１の位置を調整する際に操作するものである。
【００３３】
また、各座部３０の間には、センターコンソール３２が固設されている。センターコンソール３２の上面部における先端側の位置には、左右一対に並ぶ小テーブル３３が設けられている。また、センターコンソール３２の上面部ないし後方へ立ち上がる部位には、左右の空間を仕切るパーテーション３４が設けられている。また、センターコンソール３２の座席側内面には、映画・ビデオ、音楽、ゲーム等の機内サービスを利用するための各種操作ボタンを備えたコントローラ３５が設けられている。さらに、センターコンソール３２の前面部にはパソコン用電源３６等も設けられている。
【００３４】
図５および図１に示すように、座席フレーム１１は、座部３０の下方で前後平行に配置され左右に掛け渡された一対のシャフト１２，１３と、各シャフト１２，１３の両端に連結されて前後方向に延びるサイドフレーム１４とから枠組型に構成されている。これらは、同じく座席フレーム１１を構成する前脚１５および後脚１６によって、客室内のフロア上に支持される。また、サイドフレーム１４の下方には、使用状態にあるアームレスト４０の土台となる台座部１７が設けられている。
【００３５】
アームレスト４０は、その後部を枢支する回転軸１８（図１１参照）を中心に通常の使用位置から前部を上方に跳ね上げた退避位置まで回動可能に座席フレーム１１に支持されている。このように本実施の形態では、アームレスト４０の使用位置ないし退避位置の変位は回動によって行われる。図１１に示すように、回転軸１８は、サイドフレーム１４の後方上端側に枢着されている。回転軸１８の傍らには、アームレスト４０が退避位置にある際にアームレスト４０のフレーム４３の一部に係合し、アームレスト４０を自重で退避位置に保持するためのストッパ１９が突設されている。なお、サイドフレーム１４の後方上端側に、前記背凭れ２０のバックフレームは傾動可能に支持されている。
【００３６】
アームレスト４０は、フレーム４３の外表面をアームレストカバー４７によって被覆して構成される。フレーム４３は、上面部４１の前方より垂下する前フレーム４４と、上面部４１の後方より垂下する後フレーム４５と、これらの間に装着されるパネルフレーム４６等とから成る。ここで前フレーム４４は、アームレスト４０の揺動端側である前部に相当し、前フレーム４４の下方は、アームレスト４０が使用位置ないし退避位置に回動する際に、前記座席フレーム１１のシャフト１２の一端側（サイドフレーム１４の前端側）に着脱することになる。
【００３７】
このように、座席フレーム１１の通路側にてアームレスト４０の揺動端側である前部が着脱する箇所には、前フレーム４４を使用位置のときにシャフト１２の一端側（サイドフレーム１４の前端側）に対してロックおよびロック解除するロック機構５０が設けられている。図３および図８に示すように、ロック機構５０は、座席１０の通路側からは使用位置にあるアームレスト４０によって隠蔽される位置に配置されている。また、詳しくは後述するが、ロック機構５０のうちロック解除操作を行うロック解除部材７０は、使用位置にあるアームレスト４０の内側にて着座者が操作可能な位置に配置されている。
【００３８】
図１２〜図１４はロック機構５０を示すものであり、図１２はロック機構５０の分解斜視図、図１３は同ロック機構５０の正面図、図１４は同ロック機構５０の平面図を示している。図９〜図１１に示すように、ロック機構５０に関連して、アームレスト４０の一部には係合凸部４８が設けられ、一方座席フレーム１１には、アームレスト４０が使用位置のときに前記係合凸部４８が係合する被係合凹部５１が設けられている。
【００３９】
図９〜図１１に示すように、アームレスト４０のフレーム４３の前フレーム４４には、その下部に沿って前方に突出する係合凸部４８が設けられている。係合凸部４８は、その上下方向に延びる軸心を中心とする略円弧形の外周を備え、外周の下端側は多少縮径するようにテーパーが設けられている。また、係合凸部４８の外周の上端側には、後述するロック部材６０が嵌入する被係止溝４９が切り欠かれている。
【００４０】
一方、前記係合凸部４８が着脱する側である座席フレーム１１のシャフト１２の一端側（サイドフレーム１４の前端側）には、前記係合凸部４８が係合する被係合凹部５１が設けられている。図１２〜図１４に示すように、被係合凹部５１は、前記係合凸部４８の外周形状に合致する縦長のレール溝５２を備え、該レール溝５２の側方にはサイドフレーム１４の前端にネジ止めする取付片５３が設けられている。また、レール溝５２の上端面には、板体からなるロック部材６０が回転軸６１を介して前後方向に回動可能に枢支されている。
【００４１】
詳しく言えばロック部材６０には、回転軸６１を中心とする円弧形のガイド溝６２が形成されており、このガイド溝６２は、前記レール溝５２の上端開口より上方に形成された長穴５４に挿入された状態で、該長穴５４内で前後方向に移動可能に案内される。ロック部材６０におけるガイド溝６２と反対側の側端縁６３が、前記係合凸部４８の被係止溝４９に嵌ることにより、係合凸部４８は被係合凹部５１に係合した状態に拘束される。ここでロック部材６０は、付勢手段をなすコイルバネ６４によって、側端縁６３が被係止溝４９に嵌る拘束方向（後方）に付勢されている。
【００４２】
また、前記被係合凹部５１の側壁に沿って補強板５５が装着されており、この補強板５５の外面には、バー状のロック解除部材７０が、その下端が回転軸７１を介して前後方向に回動可能に枢支され、上方向に延びるように取り付けられている。ロック解除部材７０は、前記コイルバネ６４の付勢力に抗して前記ロック部材６０を拘束解除方向、すなわち前記ロック部材６０の側端縁６３が前記係合凸部４８の被係止溝４９から離脱する前方に回動させる操作を行うものである。
【００４３】
詳しく言えばロック解除部材７０は、その上端７２が前記ロック部材６０の揺動端にある連結孔６５に貫通して、ロック部材６０と連動するように連結されている。これにより、ロック解除部材７０は、ロック部材６０と共にコイルバネ６４の付勢力によって、通常は後方に傾いた位置に保持されるが、コイルバネ６４の付勢力に抗して図１３に示すように前方へ傾動させると、ロック部材６０を前方に回動させるように設定されている。
【００４４】
このようなロック解除部材７０は、使用位置にあるアームレスト４０の内側にて着座者が操作可能な位置に配置されている。すなわち、図８および図３に示すように、ロック解除部材７０は、使用位置にあるアームレスト４０の内側にて座席１０の座部３０の前端とレッグレスト３１の上端との間の隙間より手探りで操作可能な箇所に配置されている。かかる箇所にあるロック解除部材７０を着座者は前方に回動させることにより、ロック解除操作を行うことがきる。
【００４５】
ここでロック解除部材７０のうち、着座者が手で触れる部分は他の金属部分と触感で区別可能な樹脂で成形されている。本実施の形態では、ロック解除部材７０はバー状の細幅形に金属板で形成されているが、その下端部から上方の途中にかけてが樹脂カバー７３によって被覆成形されている。もちろん、着座者が手で触れる部分を全て樹脂により成形してもかまわない。
【００４６】
次に、本実施の形態に係る身体障害者用座席１０の作用を説明する。  
座席１０に対して身体障害者が着席ないし離席するとき、通常位置にあるアームレスト４０を一時的に邪魔にならない退避位置まで上方に回動させることができる。すなわち、図８に示すように、アームレスト４０の内側にて座部３０の前端とレッグレスト３１の上端との間の隙間よりロック解除部材７０を探り、そのまま前方へ引く。すると、図１２〜図１４に示すようにロック解除部材７０は、コイルバネ６４の付勢力に抗して前方へ傾動しロック部材６０を前方へ連動させるため、ロック部材６０の側端縁６３がアームレスト４０側にある係合凸部４８の被係止溝４９から離脱する。
【００４７】
これにより、ロック機構５０のロック状態が解除され、図９〜図１１に順に示したように、アームレスト４０を上方に持ち上げることができる。アームレスト４０が図１１に示す退避位置に到達すると、後フレーム４５がストッパ１９に係合してそれ以上の回動が阻止され、かかる退避位置にアームレスト４０を自重で保持することができる。図１に示すように、アームレスト４０が上方の退避位置にある状態では、通路側より座部３０の座面が十分に露出し、例えば車椅子から身体障害者が移動するための十分な乗降スペースを確保することができる。
【００４８】
前記ロック機構５０は、座席１０の通路側からは使用位置にあるアームレスト４０によって隠蔽されている。特にロック解除部材７０も、座席１０の通路側だけでなく前側からも隠れる状態となるが、着座者は着座したまま手探りで容易に操作することができる。従って、ロック機構５０はアームレスト４０によって隠れる構造となり、通路の通行者が誤ってロック解除部材７０に接触する虞もなく、予期せずロック解除されるような誤作動の心配がない。
【００４９】
また、ロック機構５０はアームレスト４０の回動範囲に入らない箇所に位置することになり、該アームレスト４０によって指を挟む等の虞も軽減され、安全性が高められる。さらに、ロック解除部材７０のうち、少なくとも着座者が触れる部分が他の金属部分と触感で区別可能な樹脂カバー７３によって被覆されている。これにより、ロック解除部材７０を着座者が目視で確認しづらくても、手で触れることにより樹脂カバー７３で被覆されたロック解除部材７０の判断が付きやすく、よってロック解除部材７０の位置を容易に把握することができる。
【００５０】
アームレスト４０を元の使用位置に戻す場合には、アームレスト４０を下方へ回動させて、アームレスト４０側にある係合凸部４８を、座席フレーム１１側にある被係合凹部５１のレール溝５２内に押し込むように係合させる。係合凸部４８の下端側にはテーパーがあるため、レール溝５２内に押し込む際にロック部材６０の側端縁６３を押し退けつつ円滑にレール溝５２内に導くことができる。係合凸部４８がレール溝５２の奧まで係合すると、当該位置で係合凸部４８にある被係止溝４９に対してロック部材６０の側端縁６３がコイルバネ６４の付勢力によって自動で嵌入する。これにより、ロック機構５０はロック状態となり、アームレスト４０は使用位置に拘束される。
【００５１】
このようなロック機構５０によれば、比較的簡易な構成により確実にロックおよびロック解除することができるだけでなく、座席フレーム１１の通路側にてアームレスト４０の揺動端側となる前部を拘束することになる。よって、使用位置にあるアームレスト４０は、回動支点となる後部と揺動端側の前部との離れた２点で支持されることになり、アームレスト４０をよりいっそう強固に保持することが可能となる。しかも、係合凸部４８と被係合凹部５１が互いに係合した際に接する面積が増大するため、ガタつくような不安定さを軽減することができる。
【００５２】
なお、本発明の実施の形態を図面によって説明してきたが、具体的な構成は前述したような実施の形態に限られるものではなく、本発明の要旨を逸脱しない範囲における変更や追加があっても本発明に含まれる。例えば本実施の形態では、アームレスト４０の内部にテーブルを収納できる構造のものを説明したが、テーブルを付設しないアームレストとして構成することができる。また、航空機用座席に限られるものではなく、船舶や鉄道車両等の各種乗物用の座席に適用しても良い。
【００５３】
また、前記実施の形態では、アームレスト４０側に係合凸部４８を設ける一方、座席フレーム１１側に被係合凹部５１を設けた例を示したが、逆の態様として、アームレスト４０側に被係合凹部５１を設ける一方、座席フレーム１１側に係合凸部４８を設けるように構成しても良い。また、被係合凹部５１はレール状に設けたが、係合凸部４８および被係合凹部５１の形状は互いに係合し合う形態のものであれば何でも良い。
【００５４】
さらに、前記ロック機構５０による具体的な係脱関係は、図示したようなロック部材６０と被係止溝４９とによるものでなくても良く、その他の適宜の形状のものでもかまわない。また、前記ロック機構５０は、係合凸部４８と被係合凹部５１とに設けたが、これらとは別の箇所に設けて互いに係脱させることにより、その結果として係合凸部４８が被係合凹部５１に係合した状態に拘束ないし拘束解除できるように構成しても良い。
【産業上の利用可能性】
【００５５】
本発明は、特に航空機、自動車、鉄道、船舶等の客室内に設置される乗物用座席に取り付ける身体障害者用座席として適用することができる。
【符号の説明】
【００５６】
１０…座席
１１…座席フレーム
１２…シャフト
１３…シャフト
１４…サイドフレーム
１５…前脚
１６…後脚
１７…台座部
１８…回転軸
１９…ストッパ
２０…背凭れ
２１…シェル
３０…座部
３１…レッグレスト
３２…センターコンソール
３３…小テーブル
３４…パーテーション
３５…コントローラ
３６…パソコン用電源
４０…アームレスト
４１…上面部
４２…操作部
４３…フレーム
４４…前フレーム
４５…後フレーム
４６…パネルフレーム
４７…アームレストカバー
４８…係合凸部
４９…被係止溝
５０…ロック機構
５１…被係合凹部
５２…レール溝
５３…取付片
５４…長穴
６０…ロック部材
６１…回転軸
６２…ガイド溝
６３…側端縁
６４…コイルバネ
６５…連結孔
７０…ロック解除部材
７１…回転軸
７２…上端
７３…樹脂カバー
【図１】
2012249683.tif 000003
【図２】
2012249683.tif 000004
【図３】
2012249683.tif 000005
【図４】
2012249683.tif 000006
【図５】
2012249683.tif 000007
【図６】
2012249683.tif 000008
【図７】
2012249683.tif 000009
【図８】
2012249683.tif 000010
【図９】
2012249683.tif 000011
【図１０】
2012249683.tif 000012
【図１１】
2012249683.tif 000013
【図１２】
2012249683.tif 000014
【図１３】
2012249683.tif 000015
【図１４】
2012249683.tif 000016